(57)【要約】【課題】光源から発せられる光の輝度変動を抑制することが可能な光源システム、プロジェクタ、および表示装置を提供する。【解決手段】光源システム２は、交流電流によって光を発する光源２０１に加えて、ＬＥＤ制御部２０５の制御によって光を発するＬＥＤ光源２０４を備えている。ＬＥＤ制御部２０５は、光センサ２０９が出力する出力信号ＳＯに応じて、ＬＥＤ光源２０４を駆動する。この際、ＬＥＤ制御部２０５は、光源２０１からの光の輝度変動がＬＥＤ光源２０４からの光によって緩和されるように、ＬＥＤ光源２０４を駆動する。【選択図】図２
2009252573.tif 000002
【特許請求の範囲】
【請求項１】
交流電流によって第１の光を発する光源と、
第２の光を発するＬＥＤ光源であって前記第１の光と前記第２の光とが重畳されるように配置されたＬＥＤ光源と、
前記第２の光が重畳される前の前記第１の光の輝度を検出する検出器と、
ＬＥＤ制御部と、
を備え、
前記ＬＥＤ制御部は、前記第２の光によって前記輝度の変動が緩和されるように、前記検出器からの出力に応じて前記ＬＥＤ光源を駆動する、
光源システム。
【請求項２】
請求項１記載の光源システムであって、
前記交流電流の波形は、三角波または正弦波が重畳された形状を有している、
光源システム。
【請求項３】
請求項１または２記載の光源システムであって、
前記ＬＥＤ光源は、赤色光を発する第１のＬＥＤと、緑色光を発する第２のＬＥＤと、青色光を発する第３のＬＥＤと、を有し、
前記検出器は、前記第１の光のＲ成分、Ｇ成分、Ｂ成分のそれぞれの輝度を検出するＲＧＢセンサを有し、
前記ＬＥＤ制御部は、前記赤色光によって前記Ｒ成分の前記輝度の変動が緩和され、前記緑色光によって前記Ｇ成分の前記輝度の変動が緩和され、前記青色光によって前記Ｂ成分の前記輝度の変動が緩和されるように、前記ＲＧＢセンサからの出力に応じて前記第１のＬＥＤと前記第２のＬＥＤと前記第３のＬＥＤとを駆動する、
光源システム。
【請求項４】
交流電流によって第１の光を発する光源と、
第２の光を発するＬＥＤ光源であって前記第１の光と前記第２の光とが重畳されるように配置されたＬＥＤ光源と、
前記第１の光の周期的な輝度変動に少なくとも１周期に亘って対応するデータを記憶した記憶部と、
ＬＥＤ制御部と、
を備え、
前記ＬＥＤ制御部は、前記第２の光によって前記周期的な輝度変動が緩和されるように、前記ＬＥＤ光源を前記データに基づき繰り返し駆動する、
光源システム。
【請求項５】
請求項４記載の光源システムであって、
前記交流電流の波形は、三角波または正弦波が重畳された形状を有している、
光源システム。
【請求項６】
請求項４または５記載の光源システムであって、
前記ＬＥＤ光源は、赤色光を発する第１のＬＥＤと、緑色光を発する第２のＬＥＤと、青色光を発する第３のＬＥＤと、を有していて、
前記記憶部は、前記第１の光のＲ成分、Ｇ成分、Ｂ成分のそれぞれの周期的な輝度変動に対応するそれぞれの駆動情報を記憶しており、
前記ＬＥＤ制御部は、前記赤色光によって前記Ｒ成分の前記輝度変動が緩和され、前記緑色光によって前記Ｇ成分の前記輝度変動が緩和され、前記青色光によって前記Ｂ成分の前記輝度変動が緩和されるように、前記それぞれの駆動情報に基づいて前記第１のＬＥＤと前記第２のＬＥＤと前記第３のＬＥＤとを駆動する、
光源システム。
【請求項７】
請求項１〜６のいずれか１項に記載の光源システムと、
前記光源システムが発した光を変調して画像を形成する空間光変調器と、
前記空間光変調器で形成された前記画像を投写する投写光学系と、
を備えた、
プロジェクタ。
【請求項８】
請求項１〜６のいずれか１項に記載の光源システムと、
前記光源システムが発した光を変調して画像を形成する空間光変調器と、
を備えた、
表示装置。
【発明の詳細な説明】
【技術分野】
【０００１】
本発明は、光源システム、プロジェクタ、および表示装置に関する。
【背景技術】
【０００２】
プロジェクタの光源として高圧水銀ランプ、メタルハライドランプなどが用いられる（例えば、特許文献１参照）。また、直視型の液晶モニタのバックライトとして冷陰極管が用いられる。これらの光源はいずれも放電管である。
【０００３】
【特許文献１】特開２００５−６３７９９号公報
【発明の開示】
【発明が解決しようとする課題】
【０００４】
放電管に交流電流が与えられることで放電管は光を発する。交流電流の波形は、矩形であったり、矩形に三角波または正弦波が重畳された波形であったりする。しかしながら、交流電流を用いれば、放電管が発生する光に周期的な輝度変動が生じ得る。
【課題を解決するための手段】
【０００５】
本発明は、上記課題の少なくとも一部を解決するように以下の形態または適用例として実現される。
【０００６】
［適用例１］本適用例に係る光源システムは、交流電流によって第１の光を発する光源と、第２の光を発するＬＥＤ光源であって前記第１の光と前記第２の光とが重畳されるように配置されたＬＥＤ光源と、前記第２の光が重畳される前の前記第１の光の輝度を検出する検出器と、ＬＥＤ制御部と、を備え、前記ＬＥＤ制御部は、前記第２の光によって前記輝度の変動が緩和されるように、前記検出器からの出力に応じて前記ＬＥＤ光源を駆動する。
【０００７】
上記構成によれば、交流電流によって第１の光を発する光源に加えて、ＬＥＤ制御部の駆動によって第２の光を発するＬＥＤ光源を備え、ＬＥＤ制御部が、第１の光の輝度変動を緩和するようにＬＥＤ光源を駆動するため、この光源システムから発せられる光の輝度変動を抑制することが可能となる。
【０００８】
［適用例２］上記適用例に係る光源システムにおいて、前記交流電流の波形は、三角波または正弦波が重畳された形状を有していてもよい。
【０００９】
［適用例３］上記適用例に係る光源システムにおいて、前記ＬＥＤ光源は、赤色光を発する第１のＬＥＤと、緑色光を発する第２のＬＥＤと、青色光を発する第３のＬＥＤと、を有し、前記検出器は、前記第１の光のＲ成分、Ｇ成分、Ｂ成分のそれぞれの輝度を検出するＲＧＢセンサを有し、前記ＬＥＤ制御部は、前記赤色光によって前記Ｒ成分の前記輝度の変動が緩和され、前記緑色光によって前記Ｇ成分の前記輝度の変動が緩和され、前記青色光によって前記Ｂ成分の前記輝度の変動が緩和されるように、前記ＲＧＢセンサからの出力に応じて前記第１のＬＥＤと前記第２のＬＥＤと前記第３のＬＥＤとを駆動することが望ましい。
【００１０】
上記構成によれば、ＬＥＤ光源は、赤色光を発する第１のＬＥＤと、緑色光を発する第２のＬＥＤと、青色光を発する第３のＬＥＤと、を有し、ＬＥＤ制御部は、光源が発する第１の光の色光成分毎の輝度変動を緩和すべくＬＥＤ光源を駆動するため、第１の光の色温度の変動も、第２の光によって緩和される。
【００１１】
［適用例４］本適用例に係る光源システムは、交流電流によって第１の光を発する光源と、第２の光を発するＬＥＤ光源であって前記第１の光と前記第２の光とが重畳されるように配置されたＬＥＤ光源と、前記第１の光の周期的な輝度変動に少なくとも１周期に亘って対応するデータを記憶した記憶部と、ＬＥＤ制御部と、を備え、前記ＬＥＤ制御部は、前記第２の光によって前記周期的な輝度変動が緩和されるように、前記ＬＥＤ光源を前記データに基づき繰り返し駆動する。
【００１２】
上記構成によれば、交流電流によって第１の光を発する光源に加えて、ＬＥＤ制御部の駆動によって第２の光を発するＬＥＤ光源を備え、ＬＥＤ制御部が、第１の光の輝度変動を緩和するようにＬＥＤ光源を駆動するため、この光源システムから発せられる光の輝度変動を抑制することが可能となる。
【００１３】
［適用例５］上記適用例に係る光源システムにおいて、前記交流電流の波形は、三角波または正弦波が重畳された形状を有していてもよい。
【００１４】
［適用例６］上記適用例に係る光源システムにおいて、前記ＬＥＤ光源は、赤色光を発する第１のＬＥＤと、緑色光を発する第２のＬＥＤと、青色光を発する第３のＬＥＤと、を有していて、前記記憶部は、前記第１の光のＲ成分、Ｇ成分、Ｂ成分のそれぞれの周期的な輝度変動に対応するそれぞれの駆動情報を記憶しており、前記ＬＥＤ制御部は、前記赤色光によって前記Ｒ成分の前記輝度変動が緩和され、前記緑色光によって前記Ｇ成分の前記輝度変動が緩和され、前記青色光によって前記Ｂ成分の前記輝度変動が緩和されるように、前記それぞれの駆動情報に基づいて前記第１のＬＥＤと前記第２のＬＥＤと前記第３のＬＥＤとを駆動することが望ましい。
【００１５】
上記構成によれば、ＬＥＤ光源は、赤色光を発する第１のＬＥＤと、緑色光を発する第２のＬＥＤと、青色光を発する第３のＬＥＤと、を有し、ＬＥＤ制御部は、光源が発する第１の光の色光成分毎の輝度変動を緩和すべくＬＥＤ光源を駆動するため、第１の光の色温度の変動も、第２の光によって緩和される。
【００１６】
［適用例７］本適用例に係るプロジェクタは、上記光源システムと、前記光源システムが発した光を変調して画像を形成する空間光変調器と、前記空間光変調器で形成された前記画像を投写する投写光学系と、を備えている。
【００１７】
上記構成によれば、プロジェクタが上記光源システムを備えているため、輝度変動が抑制された状態で画像を投写することが可能となる。
【００１８】
［適用例８］本適用例に係る表示装置は、上記光源システムと、前記光源システムが発した光を変調して画像を形成する空間光変調器と、を備えている。
【００１９】
上記構成によれば、表示装置が上記光源システムを備えているため、輝度変動が抑制された状態で画像を表示することが可能となる。
【発明を実施するための最良の形態】
【００２０】
以下、光源システムがプロジェクタに適用された場合を例に採り、図面を参照しつつ実施形態を説明する。なお、以下に示す実施形態は、特許請求の範囲に記載された発明の内容を何ら限定するものではない。
【００２１】
（実施形態１）
図１は、プロジェクタの概略構成を示すブロック図である。
図１に示すように、プロジェクタ１は、光源システム２と、照明光学系３と、空間光変調器４と、投写光学系５と、を備えている。
【００２２】
光源システム２は、照明光学系３に向けて光束を射出する。照明光学系３は、ロッドインテグレータ、および／またはフライアイレンズを有している。このような構成を有する照明光学系３は、光源システム２からの光束によって空間光変調器４が均一に照射されるように、光源システム２からの光束の輝度分布を空間的に平均化する。空間光変調器４は、液晶パネルの形態あるいはＤＭＤ（デジタルマイクロミラーデバイス）の形態として具現化され、図示しない駆動回路からの駆動信号に応じて、入射した光束を変調し、画像を形成する。投写光学系５は、空間光変調器４によって変調された光束、即ち空間光変調器４によって形成された画像を拡大・投写する。
【００２３】
図２は、光源システム２の構成を示すブロック図である。
図２に示すように、光源システム２は、光源２０１と、光源２０１を駆動するバラスト回路２０２と、偏光変換器２０３と、ＬＥＤ光源２０４と、ＬＥＤ光源２０４を駆動するＬＥＤ制御部２０５と、偏光変換器２０６と、ビームコンバイナ２０７と、偏光変換器２０８と、光センサ２０９と、を有している。
【００２４】
光源２０１は放電管型ランプであり、具体的に本実施形態では高圧水銀ランプである。そして光源２０１は、バラスト回路２０２から与えられる交流電流によって光（ランダム偏光）を発する。また、ＬＥＤ光源２０４は、ＬＥＤ制御部２０５から与えられる直流電流によって光（ランダム偏光）を発する。
【００２５】
偏光変換器２０３は、光源２０１からのランダム偏光をＰ偏光に変換する。一方、偏光変換器２０６は、ＬＥＤ光源２０４からのランダム偏光をＳ偏光に変換する。ビームコンバイナ２０７は、偏光変換器２０３を射出したＰ偏光を透過するとともに偏光変換器２０６を射出したＳ偏光を反射し、このことで、光源２０１からのＰ偏光とＬＥＤ光源２０４からのＳ偏光とを重畳する。偏光変換器２０８は、ビームコンバイナ２０７を射出したＳ偏光とＰ偏光とをすべてＰ偏光に変換して射出する。偏光変換器２０８を射出したＰ偏光は、上述の照明光学系３に入射する。
【００２６】
光センサ２０９は、光源２０１とビームコンバイナ２０７との間に位置しており、光源２０１が発した光の一部を受光する。そして、光センサ２０９は、光源２０１が発した光の輝度を検出して、輝度に応じた出力信号ＳＯを出力する。したがって、光源２０１が発する光に輝度変動があれば、その輝度変動に応じた波形が出力信号ＳＯに現れる。例えば、この輝度変動が周期的であれば、出力信号ＳＯには周期的な波形が現れる。
【００２７】
ＬＥＤ制御部２０５は、光センサ２０９が出力する出力信号ＳＯに応じて、ＬＥＤ光源２０４を駆動する。この際、ＬＥＤ制御部２０５は、光源２０１からの光の輝度変動がＬＥＤ光源２０４からの光によって緩和されるように、ＬＥＤ光源２０４に供給する電流を制御する。ここで、電流の制御方法としては、ＦＥＴ（Field-Effect Transistor）等によって供給電流を制限する態様にしてもよいし、ＰＷＭ（Pulse Width Modulation）方式を用いてもよい。
【００２８】
なお、偏光変換器２０３，２０６，２０８は、光源２０１からの光の利用効率、および／またはＬＥＤ光源２０４からの光の利用効率を高める目的で設けられている。しかしながら、これら偏光変換器２０３，２０６，２０８の少なくとも一つを省略してもプロジェクタ１内で光源システム２は機能する。偏光変換器２０３，２０６，２０８の少なくとも一つを省略する場合には光の利用効率は低下するものの、光源システム２のコストも低下する。
【００２９】
以下では、ＬＥＤ光源２０４、ＬＥＤ制御部２０５、および光センサ２０９の構成をより詳細に説明する。
図３は、本実施形態の光源システム２におけるＬＥＤ光源２０４の駆動を説明するブロック図である。また、図４（ａ）〜（ｄ）および図５（ａ）〜（ｄ）は、本実施形態の光源システム２の動作を説明するグラフである。
【００３０】
図３に示すように、ＬＥＤ光源２０４は、赤色光を発するＬＥＤ２０４Ｒと、緑色光を発するＬＥＤ２０４Ｇと、青色光を発するＬＥＤ２０４Ｂと、を有している。
【００３１】
光センサ２０９は、本実施形態ではＲＧＢセンサである。このため光センサ２０９は、光源２０１からの光のうち、Ｒ成分（赤色光）の輝度に応じた出力信号ＳＯＲと、Ｇ成分（緑色光）の輝度に応じた出力信号ＳＯＧと、Ｂ成分（青色光）の輝度に応じた出力信号ＳＯＢと、を出力する。なお、上述の「出力信号ＳＯ」は、これら出力信号ＳＯＲ，ＳＯＧ，ＳＯＢのセットとして定義されてもよいし、出力信号ＳＯＲ，ＳＯＧ，ＳＯＢのいずれか一つとして定義されてもよい。
【００３２】
ＬＥＤ制御部２０５は、コントローラ２１０と、ＣＰＵ２１１と、メモリ２１２と、３つのＤ／Ａ変換器２１３Ｒ，２１３Ｇ，２１３Ｂと、３つのドライバ回路２１４Ｒ，２１４Ｇ，２１４Ｂと、を有している。
【００３３】
メモリ２１２は、ルックアップテーブル（ＬＵＴ）２１２Ｒ，２１２Ｇ，２１２Ｂを記憶している。ＬＵＴ２１２Ｒは、出力信号ＳＯＲと、ＬＥＤ２０４Ｒの目標輝度値と、の間の対応関係を規定していて、光源２０１からの光のＲ成分の輝度変動がＬＥＤ２０４Ｒからの光によって緩和されるように作成されている。一方、ＬＵＴ２１２Ｇは、出力信号ＳＯＧと、ＬＥＤ２０４Ｇの目標輝度値と、の間の対応関係を規定していて、光源２０１からの光のＧ成分の輝度変動がＬＥＤ２０４Ｇからの光によって緩和されるように作成されている。また、ＬＵＴ２１２Ｂは、出力信号ＳＯＢと、ＬＥＤ２０４Ｂの目標輝度値と、の間の対応関係を規定していて、光源２０１からの光のＢ成分の輝度変動がＬＥＤ２０４Ｂからの光によって緩和されるように作成されている。
【００３４】
なお、これらＬＵＴ２１２Ｒ，２１２Ｇ，２１２Ｂに代えて、演算回路が用いられてもよい。
【００３５】
さて、コントローラ２１０は、光センサ２０９からの出力信号ＳＯＲ，ＳＯＧ，ＳＯＢをメモリ２１２へ転送する。メモリ２１２は、出力信号ＳＯＲ，ＳＯＧ，ＳＯＢに応じて、ＬＥＤ２０４Ｒ，２０４Ｇ，２０４Ｂのそれぞれの目標輝度値を出力する。これら目標輝度値は、Ｄ／Ａ変換器２１３Ｒ，２１３Ｇ，２１３Ｂによってそれぞれの駆動信号に変換される。これら駆動信号はドライバ回路２１４Ｒ，２１４Ｇ，２１４Ｂにそれぞれ供給される。ドライバ回路２１４Ｒ，２１４Ｇ，２１４Ｂは、それぞれの駆動信号に応じて、ＬＥＤ２０４Ｒ，２０４Ｇ，２０４Ｂをそれぞれ駆動する。
【００３６】
このような構成によって、光源２０１からの光の輝度変動が、ＬＥＤ２０４Ｒ，２０４Ｇ，２０４Ｂからの光によって緩和される。このため、輝度変動に起因するフリッカ（ちらつき）を抑制することが可能となる。
【００３７】
例えば、バラスト回路２０２から図４（ａ）に示すような矩形波の交流電流が供給される場合、電流の極性が変化する際に光源２０１が瞬間的にオフになるため、光源２０１の輝度が低下する状態が周期的に現れる（図４（ｂ）参照）。ＬＥＤ制御部２０５は、光センサ２０９からの出力信号ＳＯによってこの輝度変動を検出し、輝度の低下を補うようにＬＥＤ光源２０４を駆動する（図４（ｃ）参照）。そして、光源２０１からの光とＬＥＤ光源２０４からの光は、ビームコンバイナ２０７で重畳され、図４（ｄ）に示すように、輝度変動が緩和された状態で光源システム２から発せられる。
【００３８】
また、ランプの寿命を延ばすために、矩形波に三角波や正弦波を重畳した波形の交流電流で光源２０１を駆動する場合がある。図５（ａ）に示すように、矩形波に三角波や正弦波（図では三角波の場合を示す）が重畳された波形を有する交流電流がバラスト回路２０２から供給される場合には、光源２０１の周期的な輝度変動は、重畳されている三角波や正弦波によってさらに顕著になる（図５（ｂ）参照）。ＬＥＤ制御部２０５は、光センサ２０９からの出力信号ＳＯによってこの輝度変動を検出し、輝度の変動を相殺するようにＬＥＤ光源２０４を駆動する（図５（ｃ）参照）。そして、光源２０１からの光とＬＥＤ光源２０４からの光は、ビームコンバイナ２０７で重畳され、図５（ｄ）に示すように、輝度変動が緩和された状態で光源システム２から発せられる。なお、図４（ａ）及び図５（ａ）に示した交流電流は、正負両極で対称性を有しており、光源２０１の輝度変動の周期は、交流電流の半周期に一致する。
【００３９】
また、本実施形態によれば、光センサ２０９で光源２０１の輝度変動を検出し、その検出結果である出力信号ＳＯに応じてＬＥＤ光源２０４を駆動しているため、周期的な輝度変動のみならず、不規則な輝度変動をも緩和することが可能となる。
【００４０】
さらに、本実施形態によれば、光源２０１からの光のＲ成分、Ｇ成分、Ｂ成分のそれぞれの輝度に応じて、ＬＥＤ２０４Ｒ，２０４Ｇ，２０４Ｂが互いに独立して制御されることから、光源２０１からの光の色温度の変動も、これらＬＥＤ２０４Ｒ，２０４Ｇ，２０４Ｂからの光によって緩和される。
【００４１】
（実施形態２）
図６は、本実施形態の光源システム２におけるＬＥＤ光源２０４の駆動を説明するブロック図である。また、図７（ａ）〜（ｅ）は、本実施形態の光源システム２の動作を説明するグラフである。
【００４２】
図６に示すように、本実施形態の光源システム２は、光センサ２０９に代えてメモリ２１５を有している点、およびＬＥＤ制御部２０５内にＰＬＬ回路２１６が含まれている点で、実施形態１の光源システム２とは異なる。ただし、これらの点を除くと、本実施形態の光源システム２は、実施形態１の光源システム２と基本的に同じである。
【００４３】
光源２０１からの光には、交流電流に起因した周期的な輝度変動がある。実施形態１と同様、本実施形態で光源２０１に供給される交流電流は、正負両極で対称性を有しており、輝度変動の周期は、交流電流の半周期に一致する（図４、図５、および図７参照）。なお、交流電流が正負両極で対称性を有しない場合には、輝度変動の周期は、交流電流の周期に一致する。メモリ２１５は、この光の周期的な輝度変動に少なくとも１周期（輝度変動の１周期）に亘って対応するデータ（駆動情報）を記憶している。
【００４４】
ＬＥＤ制御部２０５は、メモリ２１５が記憶している上記データに応じて、ＬＥＤ光源２０４を駆動する。この際、ＬＥＤ制御部２０５は、光源２０１からの光の輝度変動がＬＥＤ光源２０４からの光によって緩和されるように、ＬＥＤ光源２０４を駆動する。
【００４５】
コントローラ２１０には、同期パルスＳＹＮと、クロックパルスＣＬＫと、が与えられる。同期パルスＳＹＮは、バラスト回路２０２から供給され、その供給タイミングは、光源２０１を駆動する交流電流の極性（向き）が反転するタイミングにほぼ一致している（図７（ａ）、（ｂ）参照）。クロックパルスＣＬＫは、同期パルスＳＹＮの周波数を逓倍して得られる周波数を有する（図７（ｃ）参照）。なお、クロックパルスＣＬＫは、逓倍器として機能するＰＬＬ回路２１６によって生成される。
【００４６】
メモリ２１５に記憶されている上記データは、３つの輝度変動データセット１Ｒ，１Ｇ，１Ｂを含んでいる。本実施形態の輝度変動データセット１Ｒ，１Ｇ，１Ｂとは、それぞれ光源２０１からの光のＲ成分、Ｇ成分、およびＢ成分の輝度変動を事前にＲＧＢセンサ（不図示）で計測して記録されたデータであり、計測中に得られるＲＧＢセンサからの出力信号（計測輝度値）を、輝度変動の１周期に亘ってクロックパルスＣＬＫと同一の周期でサンプリングしたものである（図７（ｄ）参照）。つまり、各輝度変動データセット１Ｒ，１Ｇ，１Ｂには、少なくともＰＬＬ回路２１６の逓倍数と同数の計測輝度値が含まれている。なお、光源２０１からの光のＲ成分、Ｇ成分、およびＢ成分のそれぞれの輝度は、互いに同じタイミングかつ互いに同じ周期で変動する。
【００４７】
コントローラ２１０は、同期パルスＳＹＮの入力に応じて、輝度変動データセット１Ｒ，１Ｇ，１Ｂのそれぞれから最初の計測輝度値を読み出し、読み出した計測輝度値をメモリ２１２へ転送する。メモリ２１２は、転送された計測輝度値に応じて、ＬＥＤ２０４Ｒ，２０４Ｇ，２０４Ｂのそれぞれの目標輝度値を出力する。これら目標輝度値は、Ｄ／Ａ変換器２１３Ｒ，２１３Ｇ，２１３Ｂによってそれぞれの駆動信号に変換される。また、これら駆動信号はドライバ回路２１４Ｒ，２１４Ｇ，２１４Ｂにそれぞれ供給される。ドライバ回路２１４Ｒ，２１４Ｇ，２１４Ｂは、それぞれの駆動信号に応じて、ＬＥＤ２０４Ｒ，２０４Ｇ，２０４Ｂをそれぞれ駆動し、目標輝度値に応じた輝度で発光させる。以降、コントローラ２１０は、クロックパルスＣＬＫの入力に応じて、後続する計測輝度値を順次読み出してメモリ２１２へ転送し、計測輝度値に応じた目標輝度値でＬＥＤ２０４Ｒ，２０４Ｇ，２０４Ｂを発光させる（図７（ｅ）参照）。そして、コントローラ２１０は、同期パルスＳＹＮが入力される度に上記動作を繰り返すことにより、光源２０１に与えられる交流電流と同期を取りながら、ＬＥＤ２０４Ｒ，２０４Ｇ，２０４Ｂの駆動を制御する。
【００４８】
このような構成によって、光源２０１からの光の輝度変動が、ＬＥＤ２０４Ｒ，２０４Ｇ，２０４Ｂからの光によって緩和される。このため、輝度変動に起因するフリッカ（ちらつき）を抑制することが可能となる。しかも、本実施形態によれば、光源２０１からの光のＲ成分、Ｇ成分、Ｂ成分のそれぞれの輝度に応じて、ＬＥＤ２０４Ｒ，２０４Ｇ，２０４Ｂが互いに独立して制御されることから、光源２０１からの光の色温度の変動も、これらＬＥＤ２０４Ｒ，２０４Ｇ，２０４Ｂからの光によって緩和される。
【００４９】
メモリ２１５は、光源２０１に付随していてもよい。そして、光源２０１が交換される場合には、光源２０１とともに、メモリ２１５も交換されて、メモリ２１５の内容が新しい光源２０１の特性に対応した内容に置き換えられることが好ましい。
【００５０】
（実施形態３）
図８は、本実施形態の光源システム２におけるＬＥＤ光源２０４の駆動を説明するブロック図である。また、図９（ａ）〜（ｄ）は、本実施形態の光源システム２の動作を説明するグラフである。
【００５１】
図８に示すように、本実施形態の光源システム２は、ＬＥＤ制御部２０５におけるメモリ２１２を省略した点で、実施形態２の光源システム２とは異なる。ただし、この点を除くと、本実施形態の光源システム２は、実施形態２の光源システム２と基本的に同じである。
【００５２】
光源２０１からの光には、交流電流に起因した周期的な輝度変動がある。そこで、メモリ２１５は、この光の周期的な輝度変動に少なくとも１周期（輝度変動の１周期）に亘って対応するデータ（駆動情報）を記憶している。
【００５３】
ＬＥＤ制御部２０５は、メモリ２１５が記憶している上記データに応じて、ＬＥＤ光源２０４を駆動する。この際、ＬＥＤ制御部２０５は、光源２０１からの光の輝度変動がＬＥＤ光源２０４からの光によって緩和されるように、ＬＥＤ光源２０４を駆動する。
【００５４】
コントローラ２１０には、同期パルスＳＹＮと、クロックパルスＣＬＫと、が与えられる。同期パルスＳＹＮは、バラスト回路２０２から供給され、その供給タイミングは、光源２０１を駆動する交流電流の極性（向き）が反転するタイミングにほぼ一致している（図９（ａ）、（ｂ）参照）。クロックパルスＣＬＫは、同期パルスＳＹＮの周波数を逓倍して得られる周波数を有する（図９（ｃ）参照）。なお、クロックパルスＣＬＫは、逓倍器として機能するＰＬＬ回路２１６によって生成される。
【００５５】
メモリ２１５に記憶されている上記データは、３つの駆動波形データセット２Ｒ，２Ｇ，２Ｂを含んでいる。本実施形態の駆動波形データセット２Ｒ，２Ｇ，２Ｂとは、それぞれ光源２０１からの光のＲ成分、Ｇ成分、およびＢ成分の輝度変動を事前にＲＧＢセンサ（不図示）で計測し、この計測結果に基づいて生成されたデータである。具体的には、計測中に得られるＲＧＢセンサからの出力信号を、輝度変動の１周期に亘ってクロックパルスＣＬＫと同一の周期でサンプリングするとともに、ＬＵＴ２１２Ｒ，２１２Ｇ，２１２Ｂ（図３参照）と同一の対応関係に基づいて、サンプリングした出力信号からＬＥＤ光源２０４の目標輝度値を導出し、これを事前に記録したものである（図９（ｄ）参照）。つまり、各駆動波形データセット２Ｒ，２Ｇ，２Ｂには、少なくともＰＬＬ回路２１６の逓倍数と同数の目標輝度値が含まれている。
【００５６】
つまり、駆動波形データセット２Ｒは、ＬＥＤ２０４Ｒを駆動するためのものであり、光源２０１からの光のＲ成分の周期的な輝度変動がＬＥＤ２０４Ｒからの光によって緩和されるように作成されている。同様に、駆動波形データセット２Ｇは、ＬＥＤ２０４Ｇを駆動するためのものであり、光源２０１からの光のＧ成分の周期的な輝度変動がＬＥＤ２０４Ｇからの光によって緩和されるように作成されている。さらに、駆動波形データセット２Ｂは、ＬＥＤ２０４Ｂを駆動するためのものであり、光源２０１からの光のＢ成分の周期的な輝度変動がＬＥＤ２０４Ｂからの光によって緩和されるように作成されている。
【００５７】
なお、メモリ２１５が記憶する駆動波形データセット２Ｒ，２Ｇ，２Ｂのそれぞれのデータ量は、光源２０１からの光のＲ成分、Ｇ成分、Ｂ成分の周期的な輝度変動のそれぞれ１周期分でよい。
【００５８】
さて、コントローラ２１０は、同期パルスＳＹＮの入力に応じて、駆動波形データセット２Ｒ，２Ｇ，２Ｂのそれぞれから最初の目標輝度値を読み出す。読み出された目標輝度値は、Ｄ／Ａ変換器２１３Ｒ，２１３Ｇ，２１３Ｂによってそれぞれの駆動信号に変換される。また、これら駆動信号はドライバ回路２１４Ｒ，２１４Ｇ，２１４Ｂにそれぞれ供給される。ドライバ回路２１４Ｒ，２１４Ｇ，２１４Ｂは、それぞれの駆動信号に応じて、ＬＥＤ２０４Ｒ，２０４Ｇ，２０４Ｂをそれぞれ駆動し、目標輝度値に応じた輝度で発光させる。以降、コントローラ２１０は、クロックパルスＣＬＫの入力に応じて、後続する目標輝度値を順次読み出し、読み出した目標輝度値に応じてＬＥＤ２０４Ｒ，２０４Ｇ，２０４Ｂを発光させる（図９（ｄ）参照）。そして、コントローラ２１０は、同期パルスＳＹＮが入力される度に上記動作を繰り返すことにより、光源２０１に与えられる交流電流と同期を取りながら、ＬＥＤ２０４Ｒ，２０４Ｇ，２０４Ｂの駆動を制御する。
【００５９】
このような構成によって、光源２０１からの光の輝度変動が、ＬＥＤ２０４Ｒ，２０４Ｇ，２０４Ｂからの光によって緩和される。このため、輝度変動に起因するフリッカ（ちらつき）を抑制することが可能となる。しかも、本実施形態によれば、光源２０１からの光のＲ成分、Ｇ成分、Ｂ成分のそれぞれの輝度変動に応じて、駆動波形データセット２Ｒ，２Ｇ，２Ｂが作成されていることから、ＬＥＤ２０４Ｒ，２０４Ｇ，２０４Ｂが互いから独立して制御され、この結果、光源２０１からの光の色温度の変動も、これらＬＥＤ２０４Ｒ，２０４Ｇ，２０４Ｂからの光によって緩和される。
【００６０】
なお、実施形態１〜３において、光源２０１から発せられる光は、第１の光に相当し、ＬＥＤ光源２０４から発せられる光は、第２の光に相当する。また、ＬＥＤ２０４Ｒ，２０４Ｇ，２０４Ｂは、それぞれ第１のＬＥＤ、第２のＬＥＤ、第３のＬＥＤに相当する。また、実施形態１における光センサ２０９は、検出器に相当し、実施形態２、３におけるメモリ２１５は、記憶部に相当する。
【００６１】
（変形例１）
実施形態１〜３では、光源システム２が、プロジェクタに適用されたが、本発明の光源システムは、プロジェクタだけでなく、直視型の表示装置（例えば、液晶表示装置）に適用されてもよい。
図１０は、表示装置を示す説明図であり、（ａ）は、表示装置の側断面図、（ｂ）は、表示装置の光源システムを示す平面図である。
図１０（ａ）、（ｂ）に示すように、表示装置１０は、液晶パネル等の空間光変調器４ａと、光源システム２ａと、を備えている。光源システム２ａは、空間光変調器４ａの背面に配置されるバックライトユニットであり、冷陰極管からなる光源２０１ａと、ＬＥＤ光源２０４ａと、略矩形の導光板２１７とを備えている。光源２０１およびＬＥＤ光源２０４は、導光板２１７の端面からその内部に向けて光を射出し、導光板２１７は、入射された光を、一方の表面から空間光変調器４ａに向けて略均一な輝度分布で射出する。そして、空間光変調器４ａは、光源システム２ａから入射される光を変調して画像を形成する。このような構成であっても、実施形態１〜３と同様の効果を得ることができる。
【００６２】
（変形例２）
光源２０１からの光とＬＥＤ光源２０４からの光とを重畳させる構成は、実施形態１〜３の構成に限定されず、例えば特開２００５−６３７９９号公報に開示されているような構成でもよい。
【図面の簡単な説明】
【００６３】
【図１】プロジェクタの概略構成を示すブロック図。
【図２】光源システムの構成を示すブロック図。
【図３】実施形態１の光源システムにおけるＬＥＤ光源の駆動を説明するブロック図。
【図４】（ａ）〜（ｄ）は、実施形態１の光源システムの動作を説明するグラフ。
【図５】（ａ）〜（ｄ）は、実施形態１の光源システムの動作を説明するグラフ。
【図６】実施形態２の光源システムにおけるＬＥＤ光源の駆動を説明するブロック図。
【図７】（ａ）〜（ｅ）は、実施形態２の光源システムの動作を説明するグラフ。
【図８】実施形態３の光源システムにおけるＬＥＤ光源の駆動を説明するブロック図。
【図９】（ａ）〜（ｄ）は、実施形態３の光源システムの動作を説明するグラフ。
【図１０】表示装置を示す説明図であり、（ａ）は、表示装置の側断面図、（ｂ）は、表示装置の光源システムを示す平面図。
【符号の説明】
【００６４】
１…プロジェクタ、２…光源システム、３…照明光学系、４…空間光変調器、５…投写光学系、２０１…光源、２０２…バラスト回路、２０３，２０６，２０８…偏光変換器、２０４…ＬＥＤ光源、２０４Ｒ，２０４Ｇ，２０４Ｂ…ＬＥＤ、２０５…ＬＥＤ制御部、２０７…ビームコンバイナ、２０９…光センサ、２１０…コントローラ、２１１…ＣＰＵ、２１２…メモリ、２１２Ｒ，２１２Ｇ，２１２Ｂ…ＬＵＴ、２１３Ｒ，２１３Ｇ，２１３Ｂ…Ｄ／Ａ変換器、２１４Ｒ，２１４Ｇ，２１４Ｂ…ドライバ回路、２１５…メモリ、２１６…ＰＬＬ回路、ＳＯ，ＳＯＲ，ＳＯＧ，ＳＯＢ…出力信号、１Ｒ，１Ｇ，１Ｂ…輝度変動データセット、２Ｒ，２Ｇ，２Ｂ…駆動波形データセット、ＳＹＮ…同期パルス、ＣＬＫ…クロックパルス。
【図１】
2009252573.tif 000003
【図２】
2009252573.tif 000004
【図３】
2009252573.tif 000005
【図４】
2009252573.tif 000006
【図５】
2009252573.tif 000007
【図６】
2009252573.tif 000008
【図７】
2009252573.tif 000009
【図８】
2009252573.tif 000010
【図９】
2009252573.tif 000011
【図１０】
2009252573.tif 000012